(57)【要約】【課題】露光ヘッドの焦点位置を精度よく調整可能として、印刷品質を向上させるとともに、取り扱い性に優れた装置を提供することを目的とする。【解決手段】ドラム軸２５に固定されて回転駆動される感光ドラム２１と、前記感光ドラム２１の径方向で移動自在に支持されるＬＥＤヘッド３１と、前記ＬＥＤヘッド３１を前記感光ドラム２１側へ付勢する付勢バネとを備えた画像形成装置１であって、該ドラム軸２５に回動自在に取り付けられるとともに、ＬＥＤヘッド３１が当接される受け部９３・９３・・・が外周に沿って複数形成された調整部材９１を具備してなり、該調整部材９１が回動操作されることで、該ＬＥＤヘッド３１に当接する受け部９３・９３・・・が切り換えられて、該感光ドラム２１の外周面からＬＥＤヘッド３１までの距離が変更される。【選択図】図２
2006301095.tif 000002
【特許請求の範囲】
【請求項１】
ドラム軸に固定されて回転駆動される感光ドラムと、前記感光ドラムの径方向で移動自在に支持される露光ヘッドと、前記露光ヘッドを前記感光ドラム側へ付勢する付勢手段とを備えた画像形成装置であって、該ドラム軸に回動自在に取り付けられるとともに、露光ヘッドが当接される受け部が外周に沿って複数形成された調整部材を具備してなり、該調整部材が回動操作されることで、該露光ヘッドに当接する受け部が切り換えられて、該感光ドラムの外周面から露光ヘッドまでの距離が変更されることを特徴とする画像形成装置。
【請求項２】
前記調整部材は、前記ドラム軸の軸心からの突出位置が前記受け部ごとに異なるように形成されることを特徴とする請求項１に記載の画像形成装置。
【請求項３】
前記調整部材は、前記感光ドラムの両端部に設けられ、それぞれ独立に回動操作可能とされることを特徴とする請求項２に記載の画像形成装置。
【請求項４】
前記調整部材は、前記ドラム軸に対して回動不能に位置決めする回動規制手段を備えることを特徴とする請求項１乃至請求項３のいずれか一項に記載の画像形成装置。
【発明の詳細な説明】
【技術分野】
【０００１】
本発明は、画像形成装置に関し、より詳細には、感光ドラムの外周面から露光ヘッドまでの距離を変更可能に構成された装置に関する。
【背景技術】
【０００２】
プリンタなどの画像形成装置では、記録紙搬送経路に沿って外周面に光導電膜が被覆されている感光ドラムが配設され、この感光ドラム上に静電潜像を形成するための光記録手段として、ＬＥＤヘッドやＬＣＤヘッド等のライン状の露光ヘッドが用いられる。この露光ヘッドは、焦点距離が短いため、感光ドラムの表面近傍にレンズ面が位置するように配設され、感光ドラムの外周面（ドラム表面）に焦点が合せられている。露光ヘッドは、感光ドラムと露光ヘッドとの相対位置が位置決めされて、焦点位置を固定して取り付けられている。
【０００３】
従来は、露光ヘッドに設けられたピン部材等を、感光ドラムを保持するドラムフレームに形成された当接部に当接させて露光ヘッドを位置決めし、露光ヘッドの焦点位置を固定するように構成されていた。また、例えば、特許文献１に開示されるように、弾性部材を介して露光ヘッドをドラムフレームに固定し、露光ヘッドの背面を偏心カムによって押動することで、感光ドラムの外周面から露光ヘッドまでの距離を変更可能として、露光ヘッド焦点位置を調整可能とした構成が提案されている（特許文献１参照）。
【特許文献１】特開平５−１２７４９９号公報
【発明の開示】
【発明が解決しようとする課題】
【０００４】
しかし、感光ドラムが支持されるドラムフレームは、感光ドラムの軸心方向に沿って長手方向に延設されて形成されるため、寸法精度に劣り、長手方向で歪みが生じる場合があった。従来の露光ヘッドはこのドラムフレームに当接等されて位置決めされていたため、ドラムフレームに歪みが生じた場合には、その歪みが僅かであっても、露光ヘッドの焦点距離が大きく変更される。そのため、感光ドラムにおいて完全な静電潜像を形成させることができず、一部若しくは全部がピンぼけになって画像不良を引き起し、印刷品質に劣っていた。また、感光ドラムの外周面から露光ヘッドまでの距離を変更するには、ドラムフレームを取り換えたり組み付け位置を変更したり等する必要があり、取り扱い性に劣っていた。
【０００５】
この点、特許文献１に開示される構成では、感光ドラムや露光ヘッドを装置本体に組み付けた後であっても、適宜偏心カムを回動させることで、該感光ドラムの外周面から露光ヘッドまでの距離を変更することができる。しかし、露光ヘッドがドラムフレームに取り付け固定されていたために、結局は上述したドラムフレームの寸法精度の影響を受け、焦点距離の調整精度や取り扱い性に劣っていた。
【０００６】
そこで、本発明においては、画像形成装置に関し、前記従来の課題を解決するもので、露光ヘッドの焦点位置を精度よく調整可能として、印刷品質を向上させるとともに、取り扱い性に優れた装置を提供することを目的とする。
【課題を解決するための手段】
【０００７】
本発明の解決しようとする課題は以上の如くであり、次にこの課題を解決するための手段を説明する。
【０００８】
すなわち、請求項１においては、前記感光ドラムの径方向で移動自在に支持される露光ヘッドと、前記露光ヘッドを前記感光ドラム側へ付勢する付勢手段とを備えた画像形成装置であって、該ドラム軸に回動自在に取り付けられるとともに、露光ヘッドが当接される受け部が外周に沿って複数形成された調整部材を具備してなり、該調整部材が回動操作されることで、該露光ヘッドに当接する受け部が切り換えられて、該感光ドラムの外周面から露光ヘッドまでの距離が変更されるものである。
【０００９】
請求項２においては、前記調整部材は、前記ドラム軸の軸心からの突出位置が前記受け部ごとに異なるように形成されるものである。
【００１０】
請求項３においては、前記調整部材は、前記感光ドラムの両端部に設けられ、それぞれ独立に回動操作可能とされるものである。
【００１１】
請求項４においては、前記調整部材は、前記ドラム軸に対して回動不能に位置決めする回動規制手段を備えるものである。
【発明の効果】
【００１２】
本発明の効果として、以下に示すような効果を奏する。
【００１３】
請求項１に示す構成としたので、露光ヘッドを正確に位置決めしつつ、露光ヘッドの焦点位置を容易に調整でき、画像不良を防止して印刷品質を向上できる。また、その調整作業は、調整部材を回動操作することで容易にできるため、取り扱い性を向上できる。さらに、感光ドラム毎の調整も可能となる。
【００１４】
請求項２に示す構成としたので、感光ドラムの外周面に露光ヘッドを近づけたり遠ざけたりすることができ、露光ヘッドの焦点位置を容易に調整できる。
【００１５】
請求項３に示す構成としたので、一方の操作部材のみを操作したり、各操作部材において異なる受け部を露光ヘッドに当接させたり等して、露光ヘッドの主走査方向での焦点位置のズレを調整できる。
【００１６】
請求項４に示す構成としたので、調整部材を所定位置で確実に位置決めでき、露光ヘッドの焦点位置を精度よく調整できる。
【発明を実施するための最良の形態】
【００１７】
次に、発明を実施するための最良の形態を説明する。
図１は本発明に係る画像形成装置の全体的な構成を示した正面断面図、図２は感光ドラム及びＬＥＤヘッドの取り付け状態を示す側面図、図３は感光ドラムに対してＬＥＤヘッドを位置決めした状態を表す図、図４は図３において調整部材を回動させて受け部を切り換えた状態を表す図、図５は同じく図３において調整部材を回動させて受け部を切り換えた状態を表す図である。
【００１８】
まず、本実施例の画像形成装置１の全体構成について、以下に概説する。
図１に示すように、画像形成装置１は、給紙カセット６の上方に配置され、給紙カセット６から繰り込まれた記録紙上に画像情報を顕像化したトナー画像が転写され、トナー画像が定着された記録紙が、画像形成装置１の上部に設けられる排紙トレイ７に主搬送経路１１を介して排出されるように構成されている。また、主搬送経路１１の外側に両面印刷時の反転経路１２が形成され、この反転経路１２が該主搬送経路１１と分岐・合流するような構成とされている。主搬送経路１１に沿って、感光体装置２、露光装置３、現像装置４及び定着装置５等が配置されている。
【００１９】
感光体装置２は、感光体として外周面に光導電膜を有する感光ドラム２１と、感光ドラム２１の外周面を帯電させる帯電器２２等とから構成されている。帯電器２２に張設される帯電ワイヤ２３は、高電圧が印加されるとコロナ放電し、感光ドラム２１の外周面に均一に正電荷を付与する。この感光体装置２は、本実施の形態では、感光ドラム２１や帯電器２２等が一体として組み付けられたユニット体として構成されている。ユニット化された感光体装置２は、感光ドラム２１、ドラム軸２５、位置調整機構９などがドラムケーシング９２内に備えられ、装置本体に着脱自在となるように構成されている(図２参照)。
【００２０】
露光装置３は、感光ドラム２１の斜上方に配設され、本実施例では、露光ヘッドとしてＬＥＤヘッド３１を用いた固定走査型のものが配設されている。すなわち、露光ヘッドとしてライン状に発光点が配置されているＬＥＤヘッド３１が用いられており、ＬＥＤヘッド３１が、前記帯電器２２によって帯電された感光ドラム２１の外周面にデジタル化された画像情報に基づいて像露光することによって、感光ドラム２１上の照射部分の正電荷が除去され、静電潜像が形成される。
【００２１】
本実施例におけるＬＥＤヘッド３１は、レンズ面３１ａを感光ドラム２１に対向するようにして感光体装置２に近設され、感光ドラム２１の径方向で感光ドラム２１には接触しない範囲内で移動自在となるように、装置本体（画像形成装置１のフレーム）に支持されている。また、レンズ面３１ａが配設される側とは反対側の側面に、ＬＥＤヘッド３１を感光ドラム２１側へ付勢する付勢手段としての付勢バネ３３が接続されている。付勢バネ３３は、装置本体の内壁１ａに固定され、ＬＥＤヘッド３１を感光ドラム２１の外周面に近接する方向に付勢している。ＬＥＤヘッド３１の位置調整機構９の詳細は、後述する（図２乃至図５参照）。
【００２２】
現像装置４は、供給ローラ４１と、現像ローラ４２等とからなるユニット体として構成されている。供給ローラ４１は、トナーを収容するトナーケース４３からトナーを正帯電させつつこれを現像ローラ４２に供給する。現像ローラ４２は、潜像が形成された感光ドラム２１にトナーを供給し、静電気によって感光ドラム２１上の正電荷が除去されている部分にのみトナーが付着される。
【００２３】
現像装置４を通過した記録紙は、感光ドラム２１の外周面と接触するように主搬送経路１１を挟んで配設された転写ローラ８１と感光ドラム２１とのニップ部に送り込まれる。そして、感光ドラム２１に密着された記録紙の裏側の転写ローラ８１にバイアス電圧が印加されると、正帯電しているトナーが感光ドラム２１から記録紙へと転写される。トナーが転写された記録紙は、主搬送経路１１の下流の定着装置５に送られる。
【００２４】
定着装置５は、ヒートローラ５１と、ヒートローラ５１の外周面に圧接するように主搬送経路１１を挟んで配設されたプレスローラ５２等とからなるユニット体として構成されている。そして、該ヒートローラ５１と該プレスローラ５２とのニップ部に記録紙が送り込まれて、トナー転写後の記録紙が加熱・加圧されて、記録紙上のトナー画像が定着される。
【００２５】
次に、ＬＥＤヘッド３１の位置調整機構９について、以下に説明する。
図２及び図３に示すように、本実施例の画像形成装置１では、感光ドラム２１及びＬＥＤヘッド３１がこれらの軸心方向で平行となるように配設され、ＬＥＤヘッド３１は、焦点位置が感光ドラム２１の外周面に位置するように位置決めして固定されている。そして、このＬＥＤヘッド３１の焦点位置を調整するために、感光ドラム２１の外周面からＬＥＤヘッド３１までの距離を変更可能とするＬＥＤヘッド３１の位置調整機構９が構成されている。位置調整機構９は、感光ドラム２１を回転駆動可能に支持するドラム軸２５に回動操作可能に取り付けられた調整部材９１・９１と、調整部材９１の外周面に沿って形成された複数の受け部９３・９３・・・と、ＬＥＤヘッド３１の感光ドラム２１と対向する面に突設された突起部３４等とで構成されている。
【００２６】
感光ドラム２１は、装置本体に両端部を支持されて主搬送経路１１と直交する方向に配設されされたドラム軸２５に取り付けられている。この感光ドラム２１は、両端が開放された略円柱ドラム状に形成され、両端の開口にドラムフランジ２６・２６が相対位置変動不能に嵌合されている。ドラム軸２５は、ドラムフランジ２６を介して感光ドラム２１の中心軸線に沿って長手方向に回転自在に挿通されている。ドラムフランジ２６には円環状のアース部材２７が固定され、このアース部材２７の内側の折曲片がドラム軸２５に当接し、外側の折曲片がドラム内周に当接することで、感光ドラム２１がアース部材２７及びドラム軸２５を経由して接地される。また、感光ドラム２１の一方のフランジ２６の外周面には、ギア加工が施されており、このギア２１ａに図示せぬ駆動装置から駆動力が伝達されて、ドラム軸２５まわりに感光ドラム２１が回転する。
【００２７】
ドラム軸２５には、感光ドラム２１の外周面の一部を覆うようにしてドラムケーシング９２が取り付けられている。感光体装置２が装置本体に装着されると、ドラムケーシング９２は、装置本体側に固定され、感光ドラム２１及びドラム軸２５がこのドラムケーシング９２に対して相対回動される。ドラムケーシング９２の一側面には、ドラム軸２５の軸心方向に沿って長穴９２ａが穿設されている。長穴９２ａは、感光ドラム２１を装置本体に取り付けた際に、ＬＥＤヘッド３１のレンズ面３１ａに対向する位置に開口されており、この長孔９２ａを介してＬＥＤヘッド３１から感光ドラム２１の外周面へと像露光が可能となるように構成されている。また、ドラムケーシング９２には、上述した帯電器２２や現像ローラ４２等が感光ドラム２１の外周面に対向し、若しくは圧接可能となるように、適宜開口が形成されている。
【００２８】
調整部材９１・９１は、感光ドラム２１の両端部に配設されており、ドラム軸２５の軸心方向外側から取り付けられ、着脱自在であって、感光ドラム２１及びドラム軸２５に対して相対回動可能に遊嵌されている。このように、調整部材９１・９１は、ドラム軸２５を回動中心として回動操作可能に取り付けられている。この調整部材９１・９１は、略同一形状に形成されるとともに、それぞれ独立に回動操作可能とされている。調整部材９１・９１が回動操作される場合には、感光体装置２が装置本体から取り外される。また、調整部材９１・９１は、感光体装置２を装置本体に組み付ける際に、装置本体の内壁に当接されてドラム軸２５の軸心方向にずれないように固定される。
以下、特に断りのない場合には、一方の調整部材９１について説明する。
【００２９】
調整部材９１とドラムケーシング９２との間には、調整部材９１の回動を規制する回動規制機構９４が構成されている。この回動規制機構９４は、ドラムケーシング９２の外壁であって調整部材９１と対向する面に形成された係合突起９５と、調整部材９１の内側壁であってドラム軸２５を中心とした円周上に穿設された孔９６・９６・・・とで構成されている。調整部材９１を回動させて、所定の孔９６を係合突起９５と側面視同一直線上に位置させ、次いで、調整部材９１を押動して孔９６に係合突起９５を係合させることで、調整部材９１の回動が規制される。
【００３０】
この回動規制機構９４によって、調整部材９１を位置決めした状態で感光体装置２を装置本体に取り付けることができるため、調整部材９１を所定位置で確実に位置決めでき、ＬＥＤヘッド３１の焦点位置を制度よく調整できる。また、感光体装置２を装置本体から取り外して、調整部材９１と装置本体の前記内壁との当接を解除すると、ドラム軸２５の外側へ調整部材９１を取り外すことが可能となる。すなわち、感光体装置２を装置本体から取り外した状態では、若干ドラム軸２５の軸方向外側に調整部材９１を引き出すことで、回動規制機構９４の制止を受けることなく、ドラム軸２５回りに調整部材９１を回転できる。なお、係合突起９５及び孔９６は、それぞれドラムケーシング９２及び調整部材９１のいずれに設けられてもよい。孔９６（若しくは係合突起９５）は、後述するように調整部材９１の受け部９３に対応する位置に設けられるのが好ましい。ただし、その個数や位置は特に限定されない。
【００３１】
図３乃至図５に示すように、調整部材９１は、正面視（ドラム軸２５の軸方向より見て）円環状に形成されており、調整部材９１の外周面は、感光ドラム２１の半径方向外側に形成され、円周方向に沿ってカム面９１ａが形成されている。カム面９１ａには、ＬＥＤヘッド３１の突起部３４と当接する受け部９３・９３・・・が複数形成されている。本実施例では、円周方向に沿って３個の受け部９３ａ・９３ｂ・９３ｃが形成されている。なお、受け部９３は、受け部９３ａ・９３ｂ・９３ｃの各々を区別することなく総称する表現である。
【００３２】
受け部９３は、調整部材９１において正面視（ドラム軸２５の軸方向より見て）で半径方向外側に向けて突出され、カム面９１ａの周方向の複数箇所にドラム軸２５の軸心Ｃを通る法線Ｈと直交する平面が形成されるようにして構成されている。この平面にＬＥＤヘッド３１（突起部３４）が当接されて、ＬＥＤヘッド３１が位置決めされる。各受け部９３は、ドラム軸２５の軸心Ｃからの半径方向長さ（以下、長さＬ）が、それぞれ異なり、軸心Ｃから平面までの突出位置が異なるように形成されている。具体的には、受け部９３ａは、基準位置として長さＬ１となるように形成され、受け部９３ａに隣接する受け部９３ｂの長さＬ２は、長さＬ１よりも短くなるように形成され（Ｌ１＞Ｌ２）、受け部９２ｂに隣接する受け部９３ｂの長さＬ３は、長さＬ１よりも長くなるように形成されている（Ｌ１＜Ｌ３）（図３参照）。
【００３３】
ＬＥＤヘッド３１設けられた突起部３４は、ＬＥＤヘッド３１の両端部近傍であって感光ドラム２１と対向する側の側面に一対ずつ配設され、ドラム軸２５と直交する方向に一列に配設されている。この突起部３４は、先端部が滑らかに半球状に形成されて、調整部材９１に形成された受け部９３に当接される。付勢バネ３３によって感光ドラム２１側に付勢されたＬＥＤヘッド３１は、突起部３４が各受け部９３ａ・９３ｂ・９３ｃのいずれかに圧接することで、位置決めされる。
【００３４】
以上のように構成されるＬＥＤヘッド３１の位置調整機構９は、調整部材９１が回動操作されて、いずれかの受け部９３ａ・９３ｂ・９３ｃに突起部３４が当接されるように切り換えられることによって、感光ドラム２１の外周面とＬＥＤヘッド３１との距離が変更されるように構成される。このように、感光ドラム２１の外周面とＬＥＤヘッド３１の距離を変更させて、ＬＥＤヘッド３１の焦点位置が感光ドラム２１の外周面に位置するように調整することが可能である。
【００３５】
図３乃至図５を参照して、ＬＥＤヘッド３１の焦点位置の調整について、以下に詳述する。
画像形成装置１の出荷時（組立時）においては、まず、突起部３４が受け部９３ａに当接されるように、ＬＥＤヘッド３１が位置決めされる。このときの調整部材９１のドラム軸２５回りの回転位置、つまり、受け部９３ａがＬＥＤヘッド３１側を向くように配置された姿勢にあるときの調整部材９１の回転位置を、基準位置とする。基準位置での、感光ドラム２１の外周面からＬＥＤヘッド３１のレンズ面３１ａまでの最短距離を距離Ｓ１とする。
【００３６】
ここで、ＬＥＤヘッド３１の焦点位置が正確であるか否かは、例えば、テストパタ−ンを印刷する等して確認される。このような焦点位置のズレは、一つには、装置本体と感光体装置２との相性（クリアランスの違い）によって発生するものであり、感光体装置２を交換すると、焦点位置の調整を必要とする場合がある。したがって、出荷時に調整部材９１を基準位置として焦点位置が適切となっても、後の感光体装置２の交換時には新たに調整が必要となる場合がある。また、出荷時の段階で、基準位置で焦点がずれる場合は、焦点位置が適切となるまで調整部材９１を操作して調整を行う必要がある。
【００３７】
調整部材９１が基準位置にある状態でＬＥＤヘッド３１の焦点位置がずれていた場合であって、焦点位置が感光ドラム２１の外周面より円周方向外側にある場合には、まず、感光体装置２が装置本体から取り外され、突起部３４が受け部９３ｂに当接するように調整部材９１・９１が軸方向右回りに回動操作されて、再び感光体装置２が装置本体に戻される（図４参照）。受け部９３ｂは、上述した長さＬ２が受け部９３ａの長さＬ１よりも短いため、感光ドラム２１により接近する方向に付勢されたＬＥＤヘッド３１は、感光ドラム２１の外周面との距離Ｓ２が基準状態の距離Ｓ１よりも近づけられた状態（Ｓ２＜Ｓ１）で位置決め固定される。このようにして、ＬＥＤヘッド３１の焦点位置を感光ドラム２１の外周面に近づけるように調整可能である。
【００３８】
一方、調整部材９１が基準位置にある状態で、ＬＥＤヘッド３１の焦点位置がずれていた場合であって、焦点位置が感光ドラム２１の外周面より円周方向内側にある場合には、同様に感光体装置２が装置本体から取り外され、突起部３４が受け部９３ｃに当接するように調整部材９１・９１が軸方向右回りに回動操作されて、再び感光体装置２が装置本体に取り付けられる（図５参照）。受け部９３ｃは、上述した長さＬ３が受け部９３ａの長さＬ１よりも長いため、ＬＥＤヘッド３１は、感光ドラム２１の外周面との距離Ｓ３が基準状態の距離Ｓ１よりも遠ざかった状態（Ｓ３＞Ｓ１）で固定される。このようにして、ＬＥＤヘッド３１の焦点位置を感光ドラム２１の外周面に近づけるように調整可能である。
【００３９】
以上のように構成することで、画像形成装置１は、装置の組立時や使用後にＬＥＤヘッド３１の焦点位置がずれている場合であっても、上述した位置調整機構９によって、ＬＥＤヘッド３１を正確に位置決めしつつ、ＬＥＤヘッド３１の焦点位置を容易に調整できる。そのため、ピントずれ等による画像不良を防止して印刷品質を向上できる。また、調整部材９１を回動操作するだけで、容易に調整作業ができ取り扱い性が向上される。さらに、調整部材９１は、消耗品で交換可能な感光ドラム２１（ドラム軸２５）側に配設されるため、感光ドラム２１を装置本体に容易に着脱等させることができ、調整作業が容易である。
【００４０】
また、本実施例の構成では、ＬＥＤヘッド３１は、装置本体側に固定されつつ、付勢バネ３３によって感光ドラム２１の半径方向に移動可能とされているため、感光ドラム２１若しくは感光体装置２の構成部材の設計寸法に影響されず、交換される感光体装置２毎にＬＥＤヘッド３１の焦点位置の調整が可能となる。そのため、装置本体を構成する各部品の組み付け等を変更することなく、オペレータにより容易に調整作業が可能となる。さらに、ＬＥＤヘッド３１は、先端部が略半円状に形成された一対の突起部３４が受け部９３に当接することで位置決めされるため、ＬＥＤヘッド３１の固定位置が円周方向にずれたりするのを防止でき、ＬＥＤヘッド３１を精度よく位置決めできる。
【００４１】
特に、調整部材９１の各受け部９３ａ・９３ｂ・９３ｃが、ドラム軸２５の軸心Ｃからの半径方向長さＬがそれぞれ異なるように形成されるため、異なる受け部９３ａ・９３ｂ・９３ｃを切り換えてＬＥＤヘッド３１に当接させて、このＬＥＤヘッド３１を位置決めすることで、感光ドラム２１の外周面からレンズ面３１ａまでの距離Ｓを容易に近づけたり遠ざけたりすることができ、ＬＥＤヘッド３１の焦点位置を容易に調整できる。なお、より多くの長さＬの異なる受け部９３を形成することで、より段階的な微調整が可能となって調整の精度を向上できる。
【００４２】
また、調整部材９１・９１は、感光ドラム２１の両端にそれぞれ独立に回動操作可能に設けられるため、一方の操作部材９１のみを操作したり、それぞれの操作部材９１・９１を操作して異なる受け部９３をＬＥＤヘッド３１に当接させたり等して、露光ヘッドの主走査方向（長手方向）での焦点位置のずれを調整できる。
【００４３】
なお、ＬＥＤヘッド３１を位置決めする構成は、上述した構成に限定されず、調整部材９１側に突起部３４を形成するようにしてもよい。また、受け部９３において突起部３４が嵌合される孔等が穿設されてもよい。
【図面の簡単な説明】
【００４４】
【図１】本発明に係る画像形成装置の全体的な構成を示した正面断面図。
【図２】感光ドラム及びＬＥＤヘッドの取り付け状態を示す側面図。
【図３】感光ドラムに対してＬＥＤヘッドを位置決めした状態を表す図。
【図４】図３において調整部材を回動させて受け部を切り換えた状態を表す図。
【図５】同じく図３において調整部材を回動させて受け部を切り換えた状態を表す図。
【符号の説明】
【００４５】
１    画像形成装置
２    感光体装置
２１    感光ドラム
２５    ドラム軸
３３    付勢バネ
３１    ＬＥＤヘッド（露光ヘッド）
９１    調整部材
９３    受け部
【図１】
2006301095.tif 000003
【図２】
2006301095.tif 000004
【図３】
2006301095.tif 000005
【図４】
2006301095.tif 000006
【図５】
2006301095.tif 000007